(57)【要約】【課題】複数の部品の合わせに影響を受けることなく、冷却用の空気だけを本体内部に取り込むことが可能な加熱調理器を提供する。【解決手段】本体１の下部にカバー部材６を備え、本体１の内部に空気を取り込むための吸気口１１をカバー部材６に設ける。また、吸気口１１に対向して、本体１の底板２２に吸気口２５を設ける。カバー部材６の吸気口１１を設けた周辺部分と、底板２２の吸気口２５を設けた周辺部分が重なり合い、吸気口１１の近傍でカバー部材６と底板２２との間から、熱い空気が吸気口１１に侵入するような隙間が形成されなくなる。そのため、本体１とカバー部材６との合わせに影響を受けずに、冷却用の空気Ｆ１だけを吸気口１１から本体１の内部に取り込める。【選択図】図１１
2015218998.tif 000002
【特許請求の範囲】
【請求項１】
被調理物を収容するオーブン庫を本体に備えた加熱調理器において、
前記本体下部にカバー部材を有し、
前記本体内部に空気を取り込むための第１吸気口を前記カバー部材に設け、
前記第１吸気口に対向して、前記本体に第２吸気口を設けたことを特徴とする加熱調理器。
【請求項２】
前記第１吸気口を壁で囲み、
前記壁を前記加熱調理器の接地面と接するように構成し、或いは前記カバー部材に別部品を設けて前記加熱調理器の接地面と接するように構成したことを特徴とする請求項１記載の加熱調理器。
【請求項３】
前記第１吸気口を壁で囲み、
前記壁に空気を取り込む切欠きを設けたことを特徴とする請求項１または２記載の加熱調理器。
【請求項４】
前記第１吸気口は、抜き穴またはルーバー穴であることを特徴とする請求項１〜３の何れか一つに記載の加熱調理器。
【発明の詳細な説明】
【技術分野】
【０００１】
本発明は、オーブン庫内の被加熱物を加熱調理すると共に、オーブン庫下方の本体内部に吸気して、電子部品などの冷却を行なう加熱調理器に関する。
【背景技術】
【０００２】
従来の加熱調理器として、例えば特許文献１には、下方へ傾斜する傾斜部と、その傾斜部の下縁に連なる平坦部とを本体の底壁に形成し、脚体の下端と本体の底壁との間の空間から本体内部に吸気を行なうために、傾斜部に吸気口を設ける考えが示されている。
【０００３】
また、別な特許文献２には、本体内部において、オーブン庫の下方に形成した電子部品の収容室に冷風を導くために、収容室内にラジアルファンを配置すると共に、収容室の底面中央近傍に吸気口を設けた加熱調理器の冷却構造が開示されている。
【先行技術文献】
【特許文献】
【０００４】
【特許文献１】特許第３７８４２８０号明細書
【特許文献２】特開２００６−１７７５９３号公報
【発明の概要】
【発明が解決しようとする課題】
【０００５】
上述した特許文献１，２の加熱調理器は、何れも本体の底部に設けた吸気口から収容室に直接空気を取り込んでいる。しかし、本体とは別体のカバー部材を本体下部に設け、そのカバー部材に吸気口を設けて本体内部に空気を取り込もうとする場合、本体である脚体とカバー部材である脚カバーとによる複数の部品で製品底部を構成する必要がある。
【０００６】
これを図１７と図１８の模式図で説明すると、１０１は図示しないオーブン庫を有する本体、１０２は本体１０１の下部前方に配設されるカバー部材である。本体１０１の底面には複数個の脚１０３が突出して設けられており、本体１０１を脚体として機能させている。また、これらの図において、カバー部材１０２の底面にも脚１０３を設ければ、カバー部材１０２を脚カバーとして機能させることができる。なお、１０４はオーブン庫の全面開口を塞ぐ開閉可能な扉、１０５は扉１０４の前面に取付けたハンドルである。
【０００７】
カバー部材１０２の底面には、本体１０１の内部に空気を取り込むための吸気口１０７が開口形成される。加熱調理器の底面から見て、吸気口１０７は本体１０１とカバー部材１０２との隙間１０８に向けて壁を開口したコの字状に形成される。この隙間１０８は、複数の部品として本体１０１にカバー部材１０２を組立てた際に、各部品の形状や寸法のばらつきにより、部品の合わせ面で形成されるものである。
【０００８】
そして上記構成では、本体１０１に内蔵するファンモータなどの送風装置（図示せず）を動作させると、加熱調理器の底部において、図１８の矢印付実線で示した冷却用の空気Ｆ１が、吸気口１０７から本体１０１の内部に強制的に取り込まれる。しかし吸気口１０７の外部では、本体１０１の内部で温められた空気が、図１８の矢印付破線で示した熱い空気Ｆ２として、隙間１０８から間口の広いコの字状の吸気口１０７に吸い込まれ、冷却用の空気Ｆ１と混ざってしまう。このように、加熱調理器の底部で多くの場所から空気を吸い込むと、本来は不要な熱い空気Ｆ２も吸気口１０７に吸い込まれることになり、本体１０１の内部を冷却するには不利になる。
【０００９】
そこで本発明は上記問題点に鑑み、複数の部品の合わせに影響を受けることなく、冷却用の空気だけを本体内部に取り込むことが可能な加熱調理器を提供することを目的とする。
【課題を解決するための手段】
【００１０】
請求項１の発明は、被調理物を収容するオーブン庫を本体に備えた加熱調理器において、前記本体下部にカバー部材を有し、前記本体内部に空気を取り込むための第１吸気口を前記カバー部材に設け、前記第１吸気口に対向して、前記本体に第２吸気口を設けたことを特徴とする。
【００１１】
請求項２の発明は、前記第１吸気口を壁で囲み、前記壁を前記加熱調理器の接地面と接するように構成し、或いは前記カバー部材に別部品を設けて前記加熱調理器の接地面と接するように構成したことを特徴とする。
を備えている。
【００１２】
請求項３の発明は、前記第１吸気口を壁で囲み、前記壁に空気を取り込む切欠きを設けたことを特徴とする。
【００１３】
請求項４の発明は、前記第１吸気口が、抜き穴またはルーバー穴であることを特徴とする。
【発明の効果】
【００１４】
請求項１の発明によれば、カバー部材の第１吸気口を設けた周辺部分と、本体の第２吸気口を設けた周辺部分が自ずと重なり合い、第１吸気口の近傍でカバー部材と本体との間から、熱い空気が第１吸気口に侵入するような隙間が形成されなくなる。そのため、複数の部品である本体とカバー部材との合わせに影響を受けずに、冷却用の空気だけを第１吸気口から本体内部に取り込むことが可能になる。
【００１５】
請求項２の発明によれば、壁が冷却用の空気の案内となり、また冷却用の空気を熱い空気から遮断して、冷却用の空気だけを第１吸気口から効率よく本体内部に取り込むことが可能になる。また、壁や別部品を利用して、本体やカバー部材を含む加熱調理器を接地面上に支えることができる。
【００１６】
請求項３の発明によれば、壁が冷却用の空気の案内となり、また冷却用の空気を熱い空気から遮断して、冷却用の空気だけを第１吸気口から効率よく本体内部に取り込むことができる他に、切欠きにより冷却用の空気を第１吸気口へ取り込む位置を指定できる。
【００１７】
請求項４の発明によれば、第１吸気口を抜き穴やルーバー穴とすることにより、ユーザが誤って第１吸気口から本体内部の電子部品などに指で触れるのを防止できる。
【図面の簡単な説明】
【００１８】
【図１】本発明の加熱調理器をオーブン機能付き電子レンジに適用した場合の一例として、その外観を概略的に示す斜視図である。
【図２】同上、正面図である。
【図３】同上、上面図である。
【図４】同上、右側面図である。
【図５】同上、底面図である。
【図６】同上、カバー部材の吸気口周りを示す要部斜視図である。
【図７】同上、図６に対応する要部の底面図である。
【図８】同上、カバー部材の吸気口の別な例を示す斜視図である。
【図９】同上、ルーバー穴の成型前と成型後の状態を示す図７のＡ−Ａ線断面図である。
【図１０】同上、カバー部材の吸気口周りを示す別な例の要部斜視図である。
【図１１】同上、図１に示す電子レンジの詳細な底面図である。
【図１２】同上、図１０の要部拡大図である。
【図１３】同上、図１に示す電子レンジの詳細な縦断面斜視図である。
【図１４】同上、本体のキャビネットや底板の他に、カバー部材を取り外した状態で、図１に示す電子レンジを前方左下側から見た詳細な斜視図である。
【図１５】同上、図１に示す電子レンジを前方右上側から見た詳細な斜視図である。
【図１６】同上、図１に示す電子レンジを前方左上側から見た詳細な斜視図である。
【図１７】従来例を示す製品底部からみた要部外観図である。
【図１８】同上、製品側部からみた要部外観図である。
【発明を実施するための形態】
【００１９】
以下、本発明の加熱調理器における好ましい実施例について、添付図面を参照しながら説明する。
【００２０】
図１〜図５は、オーブン機能付き電子レンジのような加熱調理器の外観を概略的に示したものである。これらの各図において、矩形箱状に形成される本体１の内部には、被加熱物を収納して加熱調理する加熱室としてのオーブン庫２が形成される。このオーブン庫２は、基本的に矩形箱状の調理庫内を形成して、左右方向に幅広とし、その大きな前面開口を開閉するための扉３が設けられる。従って、扉３は本体１の前面のほぼ全体を覆うように設けられ、その下端部が回動自在に軸支される。
【００２１】
扉３の上部には、扉３を開閉するときに手をかける開閉操作用のハンドル５を備えており、扉３の下部には、表示や操作のための操作パネル部（図示せず）を備えている。また、扉３の下側にあって、本体１の下部前方には、本体１とは別体のカバー部材６が配設される。本体１の底面四隅には４個の脚７が突出して設けられており、本体１を脚体として機能させている。これにより、本体１や、扉３や、カバー部材６を含む製品としての加熱調理器を、平坦な接地面Ｓに載せたときに、脚７の下端面７Ａが接地面Ｓに当接して加熱調理器全体を支える構成となっている。
【００２２】
オーブン庫２の下方において、本体１の内部には、空気の流通を可能とする大きさの収容室８が形成され、オーブン加熱やレンジ加熱に必要な電子部品（図示せず）などを収容室８に収容する構成となっている。また、本体１の後部には、オーブン庫２の後方に連通して、熱風を発生する熱風ファンユニット９が設けられる。特にオーブン加熱では、熱風ファンユニット９で加熱された空気がオーブン庫２内の全体を循環して、そこに収納された被調理物を加熱調理する構成となっている。
【００２３】
カバー部材６の底面略中央には、本体１内部の収容室８に空気を取り込むための吸気口１１が開口形成され、この吸気口１１を囲むようにして、突出した壁状のリブ１２が配設される。リブ１２はカバー部材６と同部品で一体に形成してもよいが、別部品として例えば本体１やカバー部材６よりも弾性に富むパッキンを追加して、これをカバー部材６に装着してもよい。ここでは、吸気口１１の全周をリブ１２が隙間なく囲んでおり、脚７が接地面Ｓに接している状態で、リブ１２の下端面１２Ａと接地面Ｓとの間に、吸気口１１への空気の取り込みを可能にする隙間が形成される。
【００２４】
図６は、カバー部材６の吸気口１１とその周辺の構成について、より詳しく示したものである。また図７は、図６に対応して、加熱調理器の底面側から見た概略図である。吸気口１１は、加熱調理器の前後方向Ｘに沿って縦長な長方形の穴１１Ａを複数個並べた格子形状に形成される。この穴１１Ａは長方形でなくても、例えば円形の丸穴としてもよく、その他、楕円の穴や、長方形の両端をＲ形状にした長穴などでもよい。また本図では、複数の穴１１Ａの形状が同一に示されているが、異なる形状の穴１１Ａであっても構わない。
【００２５】
鉄板のような金属板からなるカバー部材６に穴１１Ａを設ける場合、何れの穴１１Ａも、その穴１１Ａに対応した形状が金属板からくり抜かれた抜き穴となる。したがって、穴１１Ａの開いた方向にカバー部材６は存在しない。一方、図８に示す別な吸気口１１の例では、穴１１Ｂをルーバー穴とすることにより、穴１１Ｂの開いた方向に、所定の傾斜角度でカバー部材６と一体に形成した羽根部１４が存在する。
【００２６】
図９は、図８で示したルーバー穴（穴１１Ｂ）の成型前と成型後の断面を示したものである。同図において、金属板からなるカバー部材６にルーバー穴を設けるには、成型前の状態でカバー部材６の押圧部Ｐをプレス加工で押して、ここにスリットとなる切れ目を入れる。そして、どのカバー部材６の部分もくり抜かないようにして、そのまま切れ目の部分を押し倒すと、羽根部１４付きの穴１１Ｂがルーバー穴として完成する。
【００２７】
カバー部材６の一部を利用した廂状の羽根部１４は、穴１１Ｂから収容室８内部の電子部品に指が届かないような形状と傾斜角度を有して、カバー部材６の外側に露出して設けられる。一方、図６で示した羽根部１４を有さない抜き穴（穴１１Ａ）は、それぞれの穴１１Ａから収容室８内部の電子部品に指が届かないような形状に形成される。これにより、吸気口１１を何れの穴１１Ａ，１１Ｂとした場合でも、加熱調理器のユーザが誤って収容室８内部の電子部品などに指で触れるのを防止できる。
【００２８】
再度図６に戻って説明すると、ここでのリブ１２は、吸気口１１の全周を隙間なく囲んでいるのではなく、好ましくは本体１とは反対側の加熱調理器の前方から吸気口１１に冷たい空気を取り込むことができるように、部分的にリブ１２の存在しない切欠き１６を設けている。この切欠き１６は、吸気口１１の周囲の少なくとも１箇所に設けてあればよいが、吸気口１１から見て、同一方向若しくは異なる方向に複数の切欠き１６を設けても構わない。図６では、底面から見て矩形枠状に形成されるリブ１２の一辺を全てカットした切欠き１６を示しているが、図１０に示すように、リブ１２の一辺の一部だけを穴開けカットした切欠き１６としてもよい。リブ１２に切欠き１６を設けた場合は、加熱調理器を接地面Ｓに載せたときに、脚７の下端面Ａと共にリブ１２の下端面１２Ａが接地面Ｓに当接して加熱調理器全体を支える構成としてもよい。
【００２９】
本実施例のカバー部材６は、リブ１２が本体１の脚７と同様に加熱調理器の接地面Ｓに接し、或いはカバー部材６に追加したパッキンなどの別部品（図示せず）別部品が、本体１の脚７と同様に加熱調理器の接地面Ｓに接して、いわば加熱調理器の脚部となる脚カバーの部品として機能する。この場合は、リブ１２や別部品を利用して、本体１やカバー部材６を含む加熱調理器を接地面Ｓ上に支えることができる。しかし、カバー部材６を接地面Ｓに設置させないようにして、単に加熱調理器の外観部品として機能させてもよく、さらに加熱調理器から滴下する水滴を受ける水受け（図示せず）をカバー部材６に設けることで、カバー部材６を水受け部品として機能させてもよい。このように、本体１と別体のカバー部材６は、加熱調理器の使用形態に応じて様々な機能を付加することができる。
【００３０】
次に、加熱調理器内部の空気の流れについて、図１１〜図１６の各図を参照しながら説明する。これらの各図において、本体１はその外郭部材として、加熱調理器の上面と左右側面を覆う板金部品としてのキャビネット２１と、加熱調理器の下側を覆う板金部品としての底板２２と、加熱調理器の背面を形成し、図示しない熱風ファンや熱風ヒータなどを内蔵する熱風ファンユニット９を取付けた背面板２３と、をそれぞれ備えている。また、カバー部材６は、加熱調理器の前方下側に組み付ける樹脂部品として、底板２２に取付け固定される。ここでのカバー部材６は、脚カバーとして前述の別部品である弾性部材としてのパッキン２４を左右両側にそれぞれ備えており、脚７とパッキン２４とにより接地面Ｓ上で加熱調理器を支えている。
【００３１】
前述のように、カバー部材６には本体１内部の収容室８に空気を取り込むための吸気口１１が設けられており、ここでの吸気口１１は、複数個の長穴状の穴１１Ａを千鳥状に配置して構成される。また、これらの穴１１Ａに直接対向して、底板２２には丸穴状の穴２５Ａを配置した吸気口２５が開口形成される。吸気口２５は本体１内部の収容室８と連通しており、カバー部材６の吸気口１１に取り込まれた空気が、底板２２の吸気口２５を通過して収容室８に導かれる構成となっている。
【００３２】
本実施例では、カバー部材６の吸気口１１と、本体１である底板２２の吸気口２５とを対向配置させたのに伴い、カバー部材６の吸気口１１を設けた周辺部分と、底板２２の吸気口２５を設けた周辺部分が、他の部材を介在することなく接するように重なり合っている点が注目される。これにより、収容室８に搭載した電子部品の発熱に伴い、収容室８内で発生した熱い空気が、カバー部材６と底板２２との隙間から侵入して、吸気口１１から取り込まれる冷却用の空気と混ざるのを防止できる。つまり本実施例では、カバー部材６の吸気口１１から吸い込まれた冷却用の空気が、熱い空気と混ざり合うことなく、そのまま底板２２の吸気口２５を通過して、別部材である本体１内部の収容室８に送り出される構成となっている。
【００３３】
図１４には、本体１内部における空気Ｆの流れが、矢印付破線で示されている。同図において、３１はオーブン庫２内の被調理物の加熱調理に必要な複数の電子部品である。この電子部品３１は、平板状の回路基板３２にはんだ付け実装されており、通電時の熱源として回路基板３２と共に収容室８の内部に配設される。前述した底板２２の吸気口２５は、電子部品３１の比較的近くに位置している。
【００３４】
収容室８の内部にはその他に、送風装置３３やダクト３４などが配設される。送風装置３３は、複数の羽根を放射状に配置したファン３５を、駆動源であるモータ３６の回転軸に取付け固定した遠心ファンモータにより構成され、ここでは各種の電子部品３１を搭載した回路基板３２と、ダクト３４の入口３４Ａとの間に配置される。また、所定の断面積を有する中空筒状のダクト３４は、その入口３４Ａを送風装置３３の吐出口に臨ませ、出口３４Ｂをキャビネット２１の側面部に形成した排気口３７（図１５や図１６を参照）に臨ませている。排気口３７は、前述のルーバー穴１１Ｂと同様に、複数のルーバー穴３７Ｂを配置して構成されるが、これを抜き穴としてもよい。なお、図１４〜図１６に示す符号３８は、扉３の下部に設けた表示や操作のための操作パネル部である。
【００３５】
次に、上記構成についてその作用を説明する。操作パネル部３８のスイッチを操作して、オーブン庫２内に収容した被調理物に対する加熱の開始を指示すると、図示しないマイクロ波発生手段からのマイクロ波エネルギーや、熱風ファンユニット９からの熱風が、適宜のタイミングでオーブン庫２に供給され、その内部に載置した被調理物が加熱調理される。この加熱調理に伴い、収容室８内では回路基板３２に実装した電子部品３１が通電して発熱すると共に、電子部品３１の温度上昇を抑えるために、モータ３６への通電により送風装置３３が駆動を開始してファン３５が回転し、図１４に示すような空気Ｆの流れが本体１の内部で強制的に形成される。
【００３６】
このとき収容室８の内部では、電子部品３１の発熱に伴い熱い空気が発生するが、カバー部材６の吸気口１１と底板２２の吸気口２５は直接対向して配置されるので、そうした熱い空気がカバー部材６と底板２２との隙間を通って加熱調理器の外部に出ることはなく、本体１に取付けたカバー部材６の吸気口１１には、冷却用の空気Ｆ１だけが取り込まれる（図４を参照）。この冷却用の空気Ｆ１は、吸気口１１に対向する底板２２の吸気口２５を通過して収容室８の内部空間に導かれ、電子部品３１の周辺に発生する熱い空気を、カバー部材６とは反対側の送風装置３３側へ送り出す。
【００３７】
送風装置３３は、回転するファン３５の遠心力を利用して、電子部品３１側から取り込んだ冷却用の空気Ｆ１と熱い空気を、混合した空気Ｆとしてダクト３４の入口３４Ａに送り出す。ここで混合した空気Ｆが再び電子部品３１を通過しないように、送風装置３３からダクト３４の内部に空気Ｆが導かれ、本体１の側面の排気口３７を通して、加熱調理器の外部に空気Ｆが排出される。
【００３８】
また、底板２２を含む本体１の外郭部材は金属製であるため、電子部品３１からの熱伝導により底板２２がある程度は温度上昇する。しかし、上述したリブ１２で吸気口１１の周りを囲んでおけば、そのリブ１２が冷却用の空気Ｆ１の案内として作用すると共に、底板２２側周辺で温められた熱い空気をリブ１２で遮断して、吸気口１１へ導かないようにすることができる。その結果、冷却用の空気Ｆ１だけを、カバー部材６の吸気口１１から効率よく本体１内部の収容室８に取り込むことできる。
【００３９】
さらに、リブ１２の一部に切欠き１６を設けることで、その切欠き１６から吸気口１１への冷却用の空気Ｆ１の取り込み位置を規定できる。特に本実施例のように、底板２２を含む本体１とは反対側の、加熱調理器の前方側に切欠き１６を設けておけば、リブ１２を設けたことによる効果を生かしつつも、本体１からの熱影響が少ない方向から、冷却用の空気Ｆ１を極めて効率よく取り込むことが可能になる。
【００４０】
以上のように本実施例では、被調理物を収容するオーブン庫２と、このオーブン庫２の前面開口を塞ぐ開閉可能な扉３と、を本体１に備えた加熱調理器において、本体１の下部に、その本体１とは別部材のカバー部材６を有し、本体１の内部に空気を取り込むための第１吸気口として、カバー部材６に吸気口１１を設けており、さらにこの吸気口１１に対向して、本体１の外郭部材をなす底板２２に、本体１の内部に連通する吸気口２５を設けている。
【００４１】
この場合、カバー部材６の吸気口１１を設けた周辺部分と、底板２２の吸気口２５を設けた周辺部分が自ずと重なり合い、吸気口１１の近傍でカバー部材６と底板２２との間から、熱い空気が吸気口１１に侵入するような隙間が形成されなくなる。そのため、複数の部品である本体１とカバー部材６との合わせに影響を受けることなく、冷却用の空気Ｆ１だけを吸気口１１から本体１の内部に取り込むことが可能になる。
【００４２】
また本実施例では、カバー部材６に設けた吸気口１１を凸状の壁であるリブ１２で囲み、そのリブ１２を加熱調理器の接地面Ｓと接するように構成し、或いはカバー部材６に別部品として、例えば本体１やカバー部材６よりも弾性に富むパッキン２４を設けることで、加熱調理器の接地面Ｓと接するように構成して、カバー部材６を脚カバーとして機能させている。
【００４３】
この場合、リブ１２が冷却用の空気Ｆ１の案内となり、また冷却用の空気Ｆ１を、本来は不必要な熱い空気から遮断して、冷却用の空気Ｆ１だけをカバー部材６の吸気口１１から効率よく本体１内部の収容室８に取り込むことが可能になる。また、リブ１２や別部品であるパッキン２４などを利用して、本体１やカバー部材６を含む加熱調理器を接地面Ｓ上に支えることができる。
【００４４】
また本実施例では、カバー部材６に設けた吸気口１１を凸状の壁であるリブ１２で囲み、そのリブ１２に冷却用の空気Ｆ１を取り込むための切欠き１６を少なくとも１箇所設けている。
【００４５】
この場合も、リブ１２が冷却用の空気Ｆ１の案内となり、また冷却用の空気Ｆ１を、本来は不必要な熱い空気から遮断して、冷却用の空気Ｆ１だけをカバー部材６の吸気口１１から効率よく本体１内部の収容室８に取り込むことが可能になる他に、切欠き１６により冷却用の空気Ｆ１を吸気口１１へ取り込む位置を指定できる。
【００４６】
また、本実施例におけるカバー部材６の吸気口１１は、抜き穴としての穴１１Ａや、ルーバー穴としての穴１１Ｂにより構成される。
【００４７】
この場合、吸気口１１を抜き穴として穴１１Ａや、ルーバー穴としての穴１１Ｂとすることにより、ユーザが誤って吸気口１１から本体１内部の電子部品３１などに指で触れるのを防止できる。
【００４８】
なお、本発明は上記実施例に限定されるものではなく、例えばカバー部材６の吸気口１１と同様に、本体１の吸気口２５も種々の穴形状を採用することが可能である。また、リブ１２の高さをどの部位でも同じにするのではなく、部分的に異なる高さにして、リブ１２の一部を接地面Ｓに接する構成にしてもよい。その他、本発明の趣旨を逸脱しない範囲で種々の変更可能である。
【符号の説明】
【００４９】
１  本体
２  オーブン庫
６  カバー部材
１１  吸気口（第１吸気口）
１１Ａ  穴（抜き穴）
１１Ｂ  穴（ルーバー穴）
１２  リブ（壁）
１６  切欠き
２４  パッキン（別部品）
２５  吸気口（第２吸気口）
【図１】
2015218998.tif 000003
【図２】
2015218998.tif 000004
【図３】
2015218998.tif 000005
【図４】
2015218998.tif 000006
【図５】
2015218998.tif 000007
【図６】
2015218998.tif 000008
【図７】
2015218998.tif 000009
【図９】
2015218998.tif 000010
【図１０】
2015218998.tif 000011
【図１１】
2015218998.tif 000012
【図１２】
2015218998.tif 000013
【図１４】
2015218998.tif 000014
【図１５】
2015218998.tif 000015
【図１６】
2015218998.tif 000016
【図１７】
2015218998.tif 000017
【図１８】
2015218998.tif 000018
【図８】
2015218998.tif 000019
【図１３】
2015218998.tif 000020